(57)【要約】【課題】再配達を減らし、物流コストを削減する。【解決手段】  荷物の受け取りに関する情報を管理する受取管理システムであって、プログラムを実行するプロセッサと、前記プロセッサに接続された記憶装置とを備え、受取人に付与されるポイントを管理するためのポイント管理データベースにアクセス可能であって、宛先人へ配送される荷物の引き受けを宛先人端末に通知し、前記宛先人端末に入力された受取人の情報を受信し、前記受取人への荷物の配達の完了後に、前記受取人への荷物配達完了の情報を記録し、前記受取人から前記宛先人へ荷物が引き渡された後に、前記受取人に所定のポイントを付与するように前記ポイント管理データベースを更新する。【選択図】図１
2018101232.tif 000002
【特許請求の範囲】
【請求項１】
荷物の受け取りに関する情報を管理する受取管理システムであって、
プログラムを実行するプロセッサと、前記プロセッサに接続された記憶装置とを備え、
受取人に付与されるポイントを管理するためのポイント管理データベースにアクセス可能であって、
宛先人へ配送される荷物の引き受けを宛先人端末に通知し、
前記宛先人端末に入力された受取人の情報を受信し、
前記受取人への荷物の配達の完了後に、前記受取人への荷物配達完了の情報を記録し、
前記受取人から前記宛先人へ荷物が引き渡された後に、前記受取人に所定のポイントを付与するように前記ポイント管理データベースを更新することを特徴とする受取管理システム。
【請求項２】
請求項１に記載の受取管理システムであって、
前記宛先人が指定した受取人の情報に基づいて特定された受取人端末に受取鍵を送信し、
前記受取人端末から出力された受取鍵の照合後に、受取人への荷物配達完了の情報を記録することを特徴とする受取管理システム。
【請求項３】
請求項１に記載の受取管理システムであって、
前記受取人への荷物配達完了を前記宛先人端末へ通知することを特徴とする受取管理システム。
【請求項４】
請求項１に記載の受取管理システムであって、
前記宛先人端末から送信された受取人の評価を用いて当該受取人の評価を更新し、
前記更新された評価を前記宛先人端末に表示するためのデータを出力することを特徴とする受取管理システム。
【請求項５】
請求項１に記載の受取管理システムであって、
受取人に付与されるポイントを決める際に参照され、少なくとも受取場所、配達回数及び受取人に付与されるポイントの情報を含むポイント付与パターン情報を格納し、
前記ポイント付与パターン情報に従って、受取人にポイントを付与し、
前記ポイント付与パターン情報では、受取場所がセンターである場合に高いポイントが付与され、初回配達で荷物を受け取った場合に高いポイントが付与されるように定義されていることを特徴とする受取管理システム。
【請求項６】
請求項１に記載の受取管理システムであって、
各会員が宛先人となった場合の受取人の候補が登録可能な会員情報を格納し、
前記会員情報に受取人の候補が登録されている場合、前記宛先人端末から受取人の情報を収集することなく、前記登録されている受取人を当該荷物の受取人とすることを特徴とする受取管理システム。
【請求項７】
荷物の受け取りに関する情報を管理する受取管理システムと、
受取人に付与されるポイントを管理するためのポイント管理データベースと、
前記受取管理システムと通信可能な宛先人端末及び受取人端末とを備える荷物管理システムであって、
前記受取管理システムは、宛先人へ配送される荷物の引き受けを前記宛先人端末に通知し、
前記宛先人端末は、入力された受取人の情報を前記受取管理システムに送信し、
前記受取管理システムは、
前記受取人への荷物の配達の完了後に、前記受取人への荷物配達完了の情報を記録し、
前記受取人から前記宛先人へ荷物が引き渡された後に、前記受取人に所定のポイントを付与するように前記ポイント管理データベースを更新することを特徴とする荷物管理システム。
【請求項８】
請求項７に記載の荷物管理システムであって、
前記受取管理システムは、前記宛先人が指定した受取人の情報に基づいて特定された受取人端末に受取鍵を送信し、
前記受取人端末は、受信した受取鍵を記憶装置に格納し、
前記受取人端末から出力された受取鍵の照合後に、前記受取管理システムは、受取人への荷物配達完了の情報を記録することを特徴とする荷物管理システム。
【請求項９】
請求項７に記載の荷物管理システムであって、
前記宛先人端末は、宛先人が入力した受取人の評価を前記受取管理システムに送信し、
前記受取管理システムは、
前記宛先人端末から送信された受取人の評価を用いて当該受取人の評価を更新し、
前記更新された評価を前記宛先人端末に表示するためのデータを出力することを特徴とする荷物管理システム。
【請求項１０】
荷物管理システムが荷物の受け取りに関する情報を管理する方法であって、
前記荷物管理システムは、
荷物の受け取りに関する情報を管理する受取管理システムと、
受取人に付与されるポイントを管理するためのポイント管理データベースと、
前記受取管理システムと通信可能な宛先人端末及び受取人端末とを有し、
前記方法は、
前記受取管理システムが、宛先人へ配送される荷物の引き受けを前記宛先人端末に通知し、
前記宛先人端末が、入力された受取人の情報を前記受取管理システムに送信し、
前記受取管理システムが、前記受取人への荷物の配達の完了後に、前記受取人への荷物配達完了の情報を記録し、
前記受取管理システムが、前記受取人から前記宛先人へ荷物が引き渡された後に、前記受取人に所定のポイントを付与するように前記ポイント管理データベースを更新することを特徴とする方法。
【請求項１１】
請求項１０に記載の方法であって、
前記受取管理システムは、前記宛先人が指定した受取人の情報に基づいて特定された受取人端末に受取鍵を送信し、
前記受取人端末は、受信した受取鍵を記憶装置に格納し、
前記受取人端末から出力された受取鍵の照合後に、前記受取管理システムは、受取人への荷物配達完了の情報を記録することを特徴とする方法。
【請求項１２】
請求項１０に記載の方法であって、
前記宛先人端末は、宛先人が入力した受取人の評価を前記受取管理システムに送信し、
前記受取管理システムが、前記宛先人端末から送信された評価を用いて、当該受取人の評価を更新し、
前記受取管理システムが、前記宛先人端末に入力された受取人の評価を、前記宛先人端末に表示するためのデータを出力することを特徴とする方法。
【発明の詳細な説明】
【技術分野】
【０００１】
本発明は、配送される荷物を管理するシステムに関する。
【背景技術】
【０００２】
本技術分野の背景技術として、以下の先行技術がある。特許文献１（特開２００３−４０４５８号公報）に開示された宅配便受取確認システムでは、代理受取人に荷物が預けられた場合、配達人は届け伝票の半券を集配センターに持ち帰る。宅配業者は持ち帰られた半券を基にホームページ上で該当する荷物の状態を「代理受取済」に更新する。宛先人は、荷物からプレミアムタグを取り出し、宅配業者に記載された情報を通知する。宅配業者は、通知された荷物ＩＤに該当する荷物が「代理受取済」でかつ、配達人が持ち帰った半券と宛先人が通知してきた荷物ＩＤが一致しているかを確認する。その後、宅配業者はポイントに応じたプレミアムを宛先人に対して実行する。
【０００３】
また、特許文献２（特開２００７−１７６６７３号公報）には、荷受人からの配送依頼コード要求信号を受信するステップと、配送依頼コード要求信号を送信した荷受人が会員登録されている場合において、指定配送所の情報を含む配送依頼コードを荷受人に送信するステップと、荷受人が指定配送所に配送された荷物を受け取るために指定配送所において提示した配送依頼コードを、指定配送所から受信するステップと、受信した配送依頼コードと先に荷受人に送信した配送依頼コードとを照合し、それらが一致した場合において、荷物の引渡しを許可する旨の情報を指定配送所に送信するステップと、を有する配送方法が記載されている。
【先行技術文献】
【特許文献】
【０００４】
【特許文献１】特開２００３−４０４５８号公報
【特許文献２】特開２００７−１７６６７３号公報
【発明の概要】
【発明が解決しようとする課題】
【０００５】
現在、オンライン通販やＥコマースの発展により物流量が増大している。一方、人手不足や賃金上昇によって物流コストが上昇している。特に、配達時に宛先人が不在のために頻発する再配達が、物流コスト上昇の原因の一つとなっている。
【０００６】
都市部では、マンションや駅に設置される宅配ボックスやコンビニエンスストア受け取りが普及し始めているが、地方部では戸建て住宅が多く、宅配ボックスやコンビニエンスストアの数が少ない。
【０００７】
このため、再配達を減らし、物流コストの削減が求められている。
【課題を解決するための手段】
【０００８】
本願において開示される発明の代表的な一例を示せば以下の通りである。すなわち、荷物の受け取りに関する情報を管理する受取管理システムであって、プログラムを実行するプロセッサと、前記プロセッサに接続された記憶装置とを備え、受取人に付与されるポイントを管理するためのポイント管理データベースにアクセス可能であって、宛先人へ配送される荷物の引き受けを宛先人端末に通知し、前記宛先人端末に入力された受取人の情報を受信し、前記受取人への荷物の配達の完了後に、前記受取人への荷物配達完了の情報を記録し、前記受取人から前記宛先人へ荷物が引き渡された後に、前記受取人に所定のポイントを付与するように前記ポイント管理データベースを更新する。
【発明の効果】
【０００９】
本発明の一態様によれば、再配達を減少できる。前述した以外の課題、構成及び効果は、以下の実施例の説明により明らかにされる。
【図面の簡単な説明】
【００１０】
【図１】荷物管理システムの構成を示す図である。
【図２Ａ】配送管理システム及び受取管理システムの構成（オンプレミス環境）を示す図である。
【図２Ｂ】配送管理システム及び受取管理システムの構成（クラウド環境）を示す図である。
【図３】宛先人端末及び受取人端末の構成を示す図である。
【図４】受取管理システムが実行する処理の概要を示すフローチャートである。
【図５】受取人登録処理のシーケンス図である。
【図６】受取人登録処理のシーケンス図である。
【図７】荷物受取処理のシーケンス図である。
【図８】荷物受取処理のシーケンス図である。
【図９】配送管理データベースの構成例を示す図である。
【図１０】受取管理データベースの構成例を示す図である。
【図１１】会員データベースの構成例を示す図である。
【図１２】ポイント管理データベースの構成例を示す図である。
【図１３】ポイント付与パターンの構成例を示す図である。
【図１４Ａ】宛先人端末に表示される受取人登録画面の例を示す図である。
【図１４Ｂ】受取人端末に表示される受取情報登録画面の例を示す図である。
【発明を実施するための形態】
【００１１】
図１は、本発明の実施例の荷物管理システムの構成を示す図である。
【００１２】
本実施例の荷物管理システムは、運送業者の配送センター１に設置された配送センター装置１００、配送される荷物の宛先である宛先人３が使用する宛先人端末３１、及び配送される荷物を宛先人３を代理して受け取る受取人４が使用する受取人端末４１を有する。宛先人端末３１及び受取人端末４１は、配送センター装置１００と通信回線を通じて接続されている。
【００１３】
配送センター装置１００は、配送管理システム１１０及び受取管理システム１５０を有する。配送管理システム１１０は、差出人２から引き受けた荷物の宛先までの配送の状況を管理する。受取管理システム１５０は、宛先人３による受取人４の指定や受取人４へのポイントの付与を管理する。配送管理システム１１０及び受取管理システム１５０は、一般的なコンピュータで構成されており、図２Ａに示すオンプレミス環境や、図２Ｂに示すクラウド環境で構成できる。
【００１４】
図２Ａは、本実施例の配送センター装置１００（配送管理システム１１０及び受取管理システム１５０）の論理的な構成を示す図である。
【００１５】
図２Ａに示す配送センター装置１００は、オンプレミス環境で構成されている。すなわち、配送センター装置１００は、中央演算部（プロセッサ、メモリ）、補助記憶装置及び通信インターフェースを有する計算機によって構成される。
【００１６】
プロセッサ（ＣＰＵ）は、メモリに格納されたプログラムを実行する処理装置である。メモリは、不揮発性の記憶素子であるＲＯＭ及び揮発性の記憶素子であるＲＡＭを含む。ＲＯＭは、不変のプログラム（例えば、ＢＩＯＳ）などを格納する。ＲＡＭは、ＤＲＡＭ（Dynamic Random Access Memory）のような高速かつ揮発性の記憶素子であり、プロセッサが実行するプログラム及びプログラムの実行時に使用されるデータを一時的に格納する。
【００１７】
プロセッサは、プログラムを実行することによって、配送管理システム１１０、受取管理システム１５０及び通信部１２０を実現する。
【００１８】
配送管理システム１１０は、配送情報処理部１１１を含む。配送情報処理部１１１は、荷物の配送の状況、配送管理データベース１６１を用いて管理する。
【００１９】
受取管理システム１５０は、受取情報処理部１５１、電子メール処理部１５２、ポイント処理部１５３及び受取鍵処理部１５４を含む。受取情報処理部１５１は、宛先人３による受取人４の指定、受取人４への荷物の配達状況、受取人４から宛先人３への荷物の引渡しなどの、荷物の配達状況を管理する。電子メール処理部１５２は、宛先人３や受取人４へ通知する電子メールを作成し、通信部１２０を介して送信する。ポイント処理部１５３は、受取人４が保有するポイントを、ポイント管理データベース１６３を用いて管理する。受取鍵処理部１５４は、受取人４が荷物の受け取り時に使用する受取鍵を生成し、受取人４へのポイントの付与を、受取管理データベース１６４を用いて管理する。
【００２０】
通信部１２０は、ネットワーク２００を介した通信を制御する。
【００２１】
補助記憶装置は、記憶部１６０を構成しており、例えば、磁気記憶装置（ＨＤＤ）、フラッシュメモリ（ＳＳＤ）等の大容量かつ不揮発性の記憶装置であり、ＣＰＵが実行するプログラム及びプログラムの実行時に使用されるデータを格納する。すなわち、プログラムは、補助記憶装置から読み出されて、メモリにロードされて、ＣＰＵによって実行される。
【００２２】
記憶部１６０は、配送管理データベース１６１、会員データベース１６２、ポイント管理データベース１６３及び受取管理データベース１６４を格納する。配送管理データベース１６１は、配送管理システム１１０が使用し、配送される荷物の情報が記録されるデータベースである（図９参照）。会員データベース１６２は、宛先人３、受取人４となる者（会員）の情報が記録されるデータベースである（図１１参照）。ポイント管理データベース１６３は、会員に付与されるポイントを管理するためのデータベースである（図１２、図１３参照）。受取管理データベース１６４は、荷物毎に受取人４の情報が記録されるデータベースである（図１０参照）。
【００２３】
配送センター装置１００は、入力インターフェース及び出力インターフェースを有してもよい。入力インターフェースは、キーボードやマウスなどが接続され、オペレータからの入力を受けるインターフェースである。出力インターフェースは、ディスプレイ装置やプリンタなどが接続され、プログラムの実行結果をオペレータが視認可能な形式で出力するインターフェースである。
【００２４】
なお、配送センター装置１００は、入力インターフェース及び出力インターフェースを有し、オペレータがデータを入出力する端末に接続されてもよい。
【００２５】
通信インターフェースは、所定のプロトコルに従って、他の装置との通信を制御するネットワークインターフェース装置（例えば、ＮＩＣ）である。
【００２６】
プロセッサが実行するプログラムは、リムーバブルメディア（ＣＤ−ＲＯＭ、フラッシュメモリなど）又はネットワークを介して配送センター装置１００に提供され、非一時的記憶媒体である不揮発性の補助記憶装置に格納される。このため、配送センター装置１００は、リムーバブルメディアからデータを読み込むインターフェースを有するとよい。
【００２７】
図２Ｂは、本実施例の配送管理システム１１０及び受取管理システム１５０の別の論理的な構成を示す図である。
【００２８】
本実施例の配送管理システム１１０及び受取管理システム１５０は、図２Ａに示すオンプレミス環境の他、図２Ｂに示すクラウド環境も採用できる。すなわち、配送管理システム１１０及び受取管理システム１５０は、物理的に一つの計算機上で、又は、論理的又は物理的な複数の計算機上で構成される計算機システムであり、複数の物理的計算機資源上に構築された仮想計算機上で動作してもよい。
【００２９】
この場合、配送センター１に設置される配送センター装置１００は、中央演算部（プロセッサ、メモリ）、補助記憶装置、通信インターフェース、入力インターフェース及び出力インターフェースによって構成される端末装置（パーソナルコンピュータ、タブレット端末、スマートフォンなど）である。
【００３０】
図２Ｂに示す配送管理システム１１０及び受取管理システム１５０は、物理的な計算機リソースによって構成された仮想計算機上の中央演算部（プロセッサ、メモリ）、補助記憶装置及び通信インターフェースによって構成される。
【００３１】
図２Ｂに示す配送管理システム１１０及び受取管理システム１５０における各処理部の機能や各データベースの構成は、前述した図２Ａに示す配送管理システム１１０及び受取管理システム１５０と同じであるので、それらの説明は省略する。
【００３２】
プロセッサは、メモリに格納されたプログラムを実行することによって、配送管理システム１１０、受取管理システム１５０及び通信部１２０を実現する。
【００３３】
配送管理システム１１０は、配送情報処理部１１１を含む。配送情報処理部１１１は、配送管理データベース１６１を使用して、荷物の配送の状況を管理する。
【００３４】
受取管理システム１５０は、受取情報処理部１５１、電子メール処理部１５２及び受取鍵処理部１５４を含む。 
【００３５】
通信部１２０は、ネットワーク２００を介した通信を制御する。
【００３６】
記憶部１６０は、配送管理データベース１６１、会員データベース１６２及び受取管理データベース１６４を格納する。
【００３７】
配送管理システム１１０及び受取管理システム１５０は、通信部１２０を介して、外部システム１３０と接続されている。外部システム１３０は、ポイント処理部１５３及びポイント管理データベース１６３を含む。ポイント処理部１５３は、受取人４が保有するポイントを、ポイント管理データベース１６３を用いて管理する。ポイント管理データベース１６３は、会員に付与されるポイントを管理するためのデータベースである（図１２、図１３参照）。
【００３８】
なお、クラウド構成においては、外部システム１３０がポイントを管理するように構成したが、オンプレミス構成においても、別に設けた外部システムがポイントを管理するように構成してもよい。
【００３９】
図３は、本実施例の宛先人端末３１及び受取人端末４１の論理的な構成を示す図である。
【００４０】
宛先人端末３１及び受取人端末４１は、基本的に同じ構成であり、プロセッサ（ＣＰＵ）、メモリ、補助記憶装置、通信インターフェース、入力インターフェース及び出力インターフェースによって構成される端末装置（パーソナルコンピュータ、タブレット端末、スマートフォンなど）である。
【００４１】
プロセッサ（ＣＰＵ）は、メモリに格納されたプログラムを実行する処理装置である。メモリは、不揮発性の記憶素子であるＲＯＭ及び揮発性の記憶素子であるＲＡＭを含む。ＲＯＭは、不変のプログラム（例えば、ＢＩＯＳ）などを格納する。ＲＡＭは、ＤＲＡＭ（Dynamic Random Access Memory）のような高速かつ揮発性の記憶素子であり、プロセッサが実行するプログラム及びプログラムの実行時に使用されるデータを一時的に格納する。
【００４２】
プロセッサは、プログラムを実行することによって、受取管理システム３１０及び通信部３２０を実現する。
【００４３】
受取管理システム３１０は、受取情報処理部３１１、電子メール処理部３１２及び受取鍵処理部３１３を含む、一つ又は複数のアプリケーションプログラムである。受取情報処理部３１１は、宛先人３による受取人４の指定や、受取人４による受取場所及び受取日時の指定を処理する。電子メール処理部３１２は、受取管理システム１５０からの電子メールを受信する。受取管理システム１５０から宛先人端末３１への通知が電子メールで行われる場合、電子メール処理部３１２は通常のメーラでよい。また、受取管理システム１５０から宛先人端末３１への通知がプッシュ通知で行われる場合、電子メール処理部３１２は宛先人端末３１にインストールされたアプリケーションである。さらに、受取管理システム１５０から宛先人端末３１への通知が他の方法で行われる場合、電子メール処理部３１２は当該通知方法に合わせたアプリケーションでよい。受取鍵処理部１５４は、受取管理システム１５０から送信された受取鍵を管理する。
【００４４】
通信部３２０は、ネットワーク２００を介した通信を制御する。
【００４５】
入力インターフェースは、オペレータからの入力を受けるインターフェースであり、タッチパネルや、キーボード、マウスなどで構成される。出力インターフェースは、プログラムの実行結果をオペレータが視認可能な形式で出力するインターフェースであり、表示デバイスやプリンタなどで構成される。
【００４６】
通信インターフェースは、所定のプロトコルに従って、他の装置との通信を制御するネットワークインターフェースデバイスである。
【００４７】
次に、図１を用いて、本実施例の荷物管理システムによる荷物及びデータの動きの概要を説明する。
【００４８】
まず、差出人２は、配達先である宛先人３の氏名、住所、電話番号、電子メールアドレス、及び会員ＩＤを指定して、運送業者に荷物の配送を依頼する（２１）。差出人２が指定する電子メールアドレスと会員ＩＤはいずれか一方でもよい。また、既に、氏名、住所及び電話番号などと電子メールアドレスや会員ＩＤとが関連付けられて登録されており、氏名、住所、電話番号などの情報から電子メールを知ることができる場合は、電子メールアドレス及び会員ＩＤは省略できる。すなわち、電子メールアドレス及び会員ＩＤは、宛先人３に電子的な通信手段（電子メール、ＳＮＳ、ショートメッセージ、プッシュ通知など）によって連絡する方法を指定するものであり、必要に応じて付加されればよい。
【００４９】
運送業者（配送センター１）が差出人２から荷物の配送の依頼を受けると、配送管理システム１１０の配送情報処理部１１１は、当該荷物の情報を配送管理データベース１６１に登録する。また、配送センター１の受取管理システム１５０では、受取情報処理部１５１が荷物の配送の依頼の情報を配送情報処理部１１１から取得し、電子メール処理部１５２が、宛先人３へ送信する荷物引受メールを作成し、通信部１２０を介してネットワーク２００に送信して、宛先人３に通知する（２２）。
【００５０】
宛先人３は、荷物引受メールを受信すると、宛先人端末３１を用いて受取人４を指定し、配送センター装置１００へ送信する（２３）。受取人４は、宛先人３と違う第三者でも、宛先人３本人でもよい。受取人４が宛先人３である場合、宛先人端末３１が受取人端末４１として機能する。なお、受取人４は後述するように、予め指定された会員でもよい。
【００５１】
配送センター装置１００が受取人４の指定を受信すると、受取管理システム１５０の受取情報処理部１５１は、受取管理データベース１６４に受取人４の情報を登録する。そして受取鍵処理部１５４が受取鍵を生成し、受取情報処理部１５１が受取人端末４１に受取鍵を送信する（２４）。受取鍵は、例えば、受取人端末４１の画面に表示可能なバーコードやＱＲコードなどの二次元バーコード（ＱＲコードは登録商標）、数字や文字の組み合わせでよい。また、受取鍵は、受取人端末４１内に保存可能なビット列でもよい。
【００５２】
受取人４が受取人４になることを了承すると、受取人端末４１は、受取管理システム１５０から送信された受取鍵を記憶装置に格納する。そして、受取人端末４１は受取場所及び受取日時を指定するための受取情報登録画面（図１４Ｂ）を表示し、受取場所及び受取日時の入力を促す。受取人４は当該荷物の受取場所及び受取日時を受取情報入力画面に入力し、受取管理システム１５０に送信する（２４）。
【００５３】
一方、受取人端末４１は、受取拒否が入力されると、受取管理システム１５０から送信された受取鍵を記憶装置に格納せずに廃棄し、受取管理システム１５０に受取拒否のメッセージを送信する。
【００５４】
受取人４及び受取場所が決定すると、配送センター１は当該荷物を配達し、受取人４に引き渡す（２６）。このとき、配達員は受取人端末４１に格納された受取鍵を照合し、受取鍵が正しい場合に正当な受取人４であると判定し、荷物を引き渡す。受取鍵の照合は、例えば、受取人端末４１の画面に表示されたバーコードやＱＲコードなどの二次元バーコード、数字列や文字列を配達員の端末で読み取ったり、受取人端末４１と配達員の端末とを赤外線通信や近距離無線通信（例えば、ブルートゥース（ブルートゥースは登録商標））で接続して、配達員の端末が受取人端末４１に格納された受取鍵を読み取ってもよい。
【００５５】
受取人４が荷物を受け取ると、受取人４への配達完了の情報が配達員の端末から配送管理システム１１０に送信される。配送管理システム１１０の配送情報処理部１１１は、配送管理データベース１６１の状況を更新する。また、受取管理システム１５０の受取情報処理部１５１は、受取管理データベース１６４の受取ステータスフラグを更新する。
【００５６】
受取人４への配達が完了すると、受取管理システム１５０の受取情報処理部１５１は、宛先人３に配達完了を通知する（２７）。宛先人３は、配達完了通知によって、荷物が受取人４に届いたことを知ることができる。
【００５７】
そして、受取人４は、受け取った荷物を宛先人３に引き渡す（２８）。
【００５８】
宛先人３は、受取人４から荷物を受け取った後、宛先人端末３１に荷物の受け取りの情報を入力する。宛先人端末３１は、入力された荷物の受け取りの報告を受取管理システム１５０に送信する（２９）。受取管理システム１５０の受取情報処理部１５１は、受取管理データベース１６４の受取ステータスフラグを更新し、配送管理システム１１０の配送情報処理部１１１は、配送管理データベース１６１の状況を更新する。
【００５９】
受取管理システム１５０が荷物の受け取りの報告を受信すると、受取管理システム１５０のポイント処理部１５３は、ポイント付与パターンテーブル１６５（図１３）を参照し、受取人４に付与するポイントを決定し、ポイント管理データベース１６３を更新する（３０）。
【００６０】
また、宛先人３は、配達完了通知の記載内容に従って、受取人４を評価し（３１）、評価結果を宛先人端末３１に入力し、受取管理システム１５０に送信する。受取管理システム１５０の受取情報処理部１５１は、会員データベース１６２の平均評価値を更新する。
【００６１】
なお、以上に説明した通知は、電子メールではなく、ＳＮＳ（Simple Notification Service）によるメッセージ、携帯電話端末の電話番号で送信宛先を指定するショートメッセージ、端末にインストールされたアプリケーションへのプッシュ通知などを使用してもよい。
【００６２】
図４は、受取管理システム１５０が実行する処理の概要を示すフローチャートである。
【００６３】
受取管理システム１５０は、配送管理システム１１０から配送依頼の情報を受信すると、受取人登録処理５０１を起動する。受取人登録処理５０１では、荷物引き受けを宛先人３に通知し、受取人４の指定を受け付ける。そして、受取人４が配達の希望を登録し、受取人端末４１が受取鍵を保存することによって、受取人４が確定する。
【００６４】
受取人４が確定した後、受取管理システム１５０は、荷物受取処理５０２を起動する。荷物受取処理５０２では、受取人端末４１に保存された受取鍵を照合した後に受取人４が荷物を受領し、受取人４による受取完了通知を宛先人端末３１に送信する。そして、宛先人３が受取人４から宛先人３へ荷物が引き渡されると、宛先人端末３１が宛先人３による受取完了通知を受取管理システム１５０に送信する。
【００６５】
図５は、受取人登録処理５０１のシーケンス図であり、荷物の配達依頼前に宛先人３及び受取人４が登録されている場合の処理を示す。
【００６６】
受取管理システム１５０の受取情報処理部１５１は、配送依頼の情報を配送管理システム１１０から取得する（６０１）。
【００６７】
その後、受取情報処理部１５１は、宛先人３が会員データベース１６２に登録されているかを判定する（６０２）。宛先人３が会員データベース１６２に登録されていなければ、図６のステップ６１１へ進む。一方、宛先人３の会員ＩＤが会員データベース１６２に登録されていれば、受取情報処理部１５１は、当該宛先人３の受取人４の会員ＩＤ、受取場所及び受取予定日が会員データベース１６２に登録されているかを判定する（６０３）。なお、宛先人３自身が受取人４として登録されてもよい。この場合、宛先人３自身が荷物を受け取り、宛先人端末３１が受取人端末４１としても機能する。
【００６８】
当該宛先人３の受取人４の会員ＩＤ、受取場所及び受取予定日が会員データベース１６２に登録されていなければ、図６のステップ６１１へ進む。一方、当該宛先人３の受取人４が会員データベース１６２に登録されていれば、受取鍵処理部１５４は、受取鍵を生成し、生成した受取鍵を受取人端末４１に送信する（６０４）。
【００６９】
受取人端末４１は、受取管理システム１５０から送信された受取鍵を不揮発メモリに格納する（６０５）。
【００７０】
図６は、受取人登録処理５０１のシーケンス図であり、荷物の配達依頼後に受取人４の情報が登録される処理を示す。
【００７１】
受取人登録処理５０１（図５）のステップ６０２又は６０３においてＮＯの場合、すなわち、宛先人３が会員データベース１６２に登録されていない又は宛先人３の受取人４、受取場所及び受取予定日が会員データベース１６２に登録されていない場合、受取情報処理部１５１は、宛先人３の電子メールアドレスが配送管理データベース１６１に登録されているかを判定する（６１１）。宛先人３の電子メールアドレスが配送管理データベース１６１に登録されていなければ、宛先人３に連絡を取れないので、受取人登録処理５０１を終了し、当該荷物を通常の配送とする。
【００７２】
宛先人３の電子メールアドレスが配送管理データベース１６１に登録されていれば、電子メール処理部１５２が宛先人３へ荷物引受メールを送信する（６１２）。
【００７３】
宛先人端末３１では、電子メール処理部３１２が荷物引受メールを受信すると、宛先人３が会員であるかを判定する（６１３）。宛先人３が既に会員であれば、ステップ６１６に進む。一方、宛先人３が会員でなければ、宛先人端末３１は、会員登録情報の入力画面を表示し、宛先人３の会員登録を受け付ける（６１４）。宛先人３が会員登録を希望しなければ、この後の処理が実行できないので、受取人登録処理５０１を終了し、当該荷物を通常の配送とする。
【００７４】
一方、宛先人３が会員登録を希望して、会員登録情報の入力画面に入力したデータは、宛先人端末３１から受取管理システム１５０に送信される（６１５）。受取管理システム１５０の受取情報処理部１５１は、宛先人端末３１から受信した会員情報を、会員データベース１６２に登録する。
【００７５】
会員登録の完了後、宛先人端末３１の受取情報処理部３１１は、受取人登録画面（図１４Ａ）を表示し、受取人４及び受取期限を受け付ける（６１６）。宛先人３が受取人及び受取期限を入力しなければ、この後の処理が実行できないので、受取人登録処理５０１を終了し、当該荷物を通常の配送とする。一方、宛先人端末３１は、宛先人３が受取人登録画面に入力した受取人４及び受取期限の情報を受取管理システム１５０に送信する。
【００７６】
受取管理システム１５０が受取人４及び受取期限の情報を受信すると、受取管理システム１５０の受取情報処理部１５１は、会員データベース１６２を参照して、宛先人３が入力した受取人４を特定し、当該受取人４の情報を受取管理データベース１６４に登録する。また、受取管理システム１５０の受取鍵処理部１５４は、受取人４に送信する受取鍵を生成し、受取管理データベース１６４に登録する。さらに、受取管理システム１５０の電子メール処理部１５２は、受取人４として指定されたことを通知する電子メールを作成し、受取鍵処理部１５４が生成した受取鍵と共に受取人端末４１に送信する（６１７）。
【００７７】
受取人端末４１が受取管理システム１５０から受信した受取鍵を受信すると、受取鍵処理部３１３が、受信した受取鍵をメモリに格納する（６１８）。
【００７８】
そして、受取人端末４１が受取情報処理部３１１は、受取人４が会員であるかを判定する（６１３）。受取人４が既に会員であれば、ステップ６２２に進む。一方、受取人４が会員でなければ、受取人端末４１は、会員登録情報の入力画面を表示し、受取人４の会員登録を受け付ける（６２０）。受取人４が会員登録を希望しなければ、この後の処理が実行できないので、受取人登録処理５０１を終了し、当該荷物を通常の配送とする。このとき、受取人端末４１は、受信した受取鍵を廃棄する。
【００７９】
一方、受取人４が会員登録を希望して、会員登録情報の入力画面に入力したデータは、受取人端末４１から受取管理システム１５０に送信される（６２１）。受取管理システム１５０の受取情報処理部１５１は、受取人端末４１から受信した会員情報を、会員データベース１６２に登録する。
【００８０】
会員登録の完了後、受取人端末４１の受取情報処理部３１１は、受取情報登録画面（図１４Ｂ）を表示し、受取場所及び受取日時を受け付ける（６２２）。受取人４が受取場所及び受取日時を入力せず、受取を拒否すると、この後の処理が実行できないので、受取人登録処理５０１を終了し、当該荷物を通常の配送とする。一方、受取人端末４１は、受取人４が入力した受取場所及び受取日時の情報を受取管理システム１５０に送信する。
【００８１】
受取管理システム１５０が受取場所及び受取日時の情報を受信すると、受取管理システム１５０の受取情報処理部１５１は、受取場所及び受取予定日を受取管理データベース１６４に登録する（６２３）。
【００８２】
図７は、荷物受取処理５０２のシーケンス図であり、宛先人３自身が受取人４である場合の処理を示す。
【００８３】
受取人４（宛先人３）が指定した受取場所に荷物が搬送されると（又は、受取人４が荷物を受け取るために配送センター１に出向くと）、受取人４は、配達員の求めに従って、受取人端末４１を操作して、受取鍵を出力する（６３１）。
【００８４】
配達員は、所持する端末を用いて、受取人端末４１が出力した受取鍵を読み取り、受取管理システム１５０に送信する（６３２）。
【００８５】
受取人端末４１からの受取鍵の出力及び受取管理システム１５０による受取鍵の読み取りは、前述したように、受取人端末４１の画面に表示されたバーコードやＱＲコードなどの二次元バーコード、数字列や文字列を配達員の端末で読み取ったり、受取人端末４１と配達員の端末とを赤外線通信や近距離無線通信（例えば、ブルートゥース）で接続して、配達員の端末が受取人端末４１に格納された受取鍵を読み取ってもよい。
【００８６】
受取管理システム１５０の受取鍵処理部１５４は、受取人端末４１から出力された受取鍵を照合し（６３３）、受取鍵が正しい場合には、正当な受取人４であると判定し、荷物を引き渡す。一方、受取鍵が正しくない場合、受取人４が間違っていると判定し、当該受取人４への荷物の引き渡しの失敗を宛先人３に通知するとよい。
【００８７】
受取鍵の照合は、配達員の端末が、予め受取鍵を格納しておき、受取人端末４１が出力した受取鍵を照合し、照合結果を受取管理システム１５０に送信してもよい。
【００８８】
配送管理システム１１０の配送情報処理部１１１は、配達員が荷物を引き渡した後、宛先人３による受取完了を配送管理データベース１６１に記録する。また、受取管理システム１５０の受取情報処理部１５１は、宛先人３による受取完了を受取管理データベース１６４に記録する（６３４）。
【００８９】
その後、受取管理システム１５０のポイント処理部１５３は、ポイント付与パターンテーブル１６５を参照して受取人４にポイントを付与し、ポイント管理データベース１６３を更新する（６３５）。
【００９０】
図８は、荷物受取処理５０２のシーケンス図であり、宛先人３と受取人４とが異なる場合の処理を示す。
【００９１】
受取人４が指定した受取場所に荷物が搬送されると（又は、受取人４が荷物を受け取るために配送センター１に出向くと）、受取人４は、配達員の求めに従って、受取人端末４１を操作して、受取鍵を出力する（６４１）。
【００９２】
配達員は、所持する端末を用いて、受取人４が出力した受取鍵を読み取り、受取管理システム１５０に送信する（６４２）。
【００９３】
受取管理システム１５０の受取鍵処理部１５４は、受取人端末４１から出力された受取鍵を照合し（６４３）、受取鍵が正しい場合には、正当な受取人４であると判定し、荷物を引き渡す。一方、受取鍵が正しくない場合、受取人４が間違っていると判定し、宛先人３にその旨を通知するとよい。
【００９４】
受取鍵の照合は、前述したように、配達員の端末が、予め受取鍵を格納しておき、受取人端末４１が出力した受取鍵を照合し、照合結果を受取管理システム１５０に送信してもよい。
【００９５】
受取管理システム１５０の電子メール処理部１５２は、受取人４による受取完了通知及び荷物受領報告要求を宛先人端末３１に送信する（６４４）。受取人４による受取完了通知及び荷物受領報告要求には、宛先人３が受取完了を入力する画面のリンクや、受取人評価を入力する画面のリンクが含まれるとよい。
【００９６】
宛先人端末３１の電子メール処理部３１２が受取人４による受取完了通知と荷物受領報告要求を受信する（６４５）。
【００９７】
宛先人３は、受取人４から荷物が引き渡されると、宛先人端末３１を操作し、宛先人３による受取報告を受取管理システム１５０に送信する（６４６）。
【００９８】
受取管理システム１５０の受取情報処理部１５１は、宛先人３による受取完了を受取管理データベース１６４に記録する。また、配送管理システム１１０の配送情報処理部１１１は、宛先人３による受取完了を配送管理データベース１６１に記録する。さらに、受取管理システム１５０のポイント処理部１５３は、ポイント付与パターンテーブル１６５を参照して受取人４にポイントを付与し、ポイント管理データベース１６３を更新する（６４７）。
【００９９】
さらに、宛先人３は、宛先人端末３１を操作し、受取人評価結果を送信する（６４８）。
【０１００】
受取管理システム１５０の受取情報処理部１５１は、受信した受取人評価結果を用いて、会員データベース１６２を更新する。
【０１０１】
図９は、配送管理データベース１６１の構成例を示す図である。
【０１０２】
配送管理データベース１６１は、配送管理システム１１０が使用し、配送される荷物の情報が記録されるデータベースであり、荷物ＩＤ、差出人名、差出人住所、差出人電話番号、宛先人名、宛先人住所、宛先人電話番号、宛先人会員ＩＤ、宛先人電子メールアドレス、品物、配達予定日、状況、及び送料を含む。
【０１０３】
荷物ＩＤは、配送される荷物を一意に識別するための番号である。品物は、当該荷物の内容物の種別である。配達予定日は、当該荷物の配達予定日である。状況は、当該荷物の配送の状況である。送料は、当該荷物の配送料金である。
【０１０４】
図１０は、受取管理データベース１６４の構成例を示す図である。
【０１０５】
受取管理データベース１６４は、荷物毎に受取人４の情報が記録されるデータベースであり、荷物ＩＤ、宛先人名、宛先人住所、宛先人電話番号、宛先人会員ＩＤ、宛先人電子メールアドレス、受取人氏名、受取人電話番号、受取人会員ＩＤ、受取人電子メールアドレス、受取場所、受取予定日、受取鍵、受取ステータスフラグ、付与ポイント数、及び評価値を含む。
【０１０６】
荷物ＩＤは、配送される荷物を一意に識別するための番号である。受取場所及び受取予定日は、それぞれ、受取人４が当該荷物の受け取りを希望する場所及び日である。受取鍵は、当該荷物の受取時に照合される鍵である。受取ステータスフラグは、受取人４が当該荷物を受け取ったかを示すデータである。付与ポイント数は、当該荷物を受け取ったことにより受取人４に付与されるポイント数である。評価値は、当該荷物の搬送において宛先人３が入力した受取人４の評価の結果である。
【０１０７】
受取管理データベース１６４は、配送管理データベース１６１と別に構成されるが、配送管理データベース１６１と合わせて、一つのデータベースとして構成してもよい。
【０１０８】
図１１は、会員データベース１６２の構成例を示す図である。
【０１０９】
会員データベース１６２は、宛先人３や受取人４となる者（会員）の情報が記録されるデータベースであり、会員ＩＤ、名前、住所、電話番号、電子メールアドレス、指定集配センター、受取人名、受取人電話番号、受取人会員ＩＤ、受取人電子メールアドレス、受取場所、受取予定日及び平均評価値を含む。
【０１１０】
会員ＩＤは、会員を一意に識別するための番号である。指定集配センターは、当該会員への荷物の配送に使用される集配センターである。受取人名、受取人電話番号、受取人会員ＩＤ、及び受取人電子メールアドレスは、それぞれ、当該会員が予め指定した受取人の名前、電話番号、会員ＩＤ、及び電子メールアドレスである。受取場所及び受取予定日は、当該受取人４が荷物を受け取る場所及び受取可能日である。なお、受取予定日は、将来の日時で、当該受取人４が荷物を受け取ることができる期間を指定するものでもよい（例えば、木曜日の１０時〜１２時）。平均評価値は、当該会員が過去に評価された結果の平均値である。
【０１１１】
図１２は、ポイント管理データベース１６３の構成例を示す図である。
【０１１２】
ポイント管理データベース１６３は、会員に付与されるポイントを管理するためのデータベースであり、会員ＩＤ、名前、及び累計ポイント数を含む。
【０１１３】
会員ＩＤは、会員を一意に識別するための番号である。累計ポイント数は、当該会員に付与されたポイント数の累計値である。
【０１１４】
図１３は、ポイント付与パターンテーブル１６５の構成例を示す図である。
【０１１５】
ポイント付与パターンテーブル１６５は、付与されるポイントのパターンが登録され、会員にポイントを付与する際に参照されるデータベースであり、差出人、宛先人、受取人、受取場所、配達回数、及びポイントを含む。ポイント付与パターンテーブル１６５は、ポイント管理データベース１６３内の別テーブルとして構成されても、ポイント管理データベース１６３と別に構成されてよい。
【０１１６】
配達回数は、当該荷物が初回の配達で宛先人３又は受取人４に届いたか、２回目以後の配達（初回配達で宛先人３、受取人４が不在の場合）で宛先人３又は受取人４に届いたかを示す。ポイントは、差出人、宛先人、受取人、受取場所、及び配達回数の組み合わせにおいて付与されるポイント数である。
【０１１７】
例えば、初回配達は２回目以後の配達より多いポイントが付与され、センターでの受け取りは自宅での受け取りより多いポイントが付与される。
【０１１８】
図１４Ａは、宛先人端末３１に表示される受取人登録画面の例を示す図である。
【０１１９】
宛先人端末３１が荷物引受メールを受信すると（６１２）、荷物引受メールに含まれるリンクの操作によって、受取人登録画面を表示する。
【０１２０】
受取人登録画面は、受取人電子メールアドレス入力欄、受取人評価表示領域、受取期限入力欄、キャンセルボタン、評価表示ボタン及び確定ボタンを含む。
【０１２１】
宛先人３は、受取人登録画面において、受取人４の電子メールアドレスの入力によって受取人４を指定し、評価表示ボタンの操作によって、会員データベース１６２に格納された会員の平均評価値を取得し、入力された受取人４の評価を受取人評価表示領域に表示できる。その後、宛先人３は、受取人４による受取期限を指定し、確定ボタンを操作し、入力した受取人４の情報を宛先人端末３１から受取管理システム１５０に送信する。
【０１２２】
なお、宛先人３が、受取人４による受け取りを希望しない場合、キャンセルボタンの操作によって、通常の自宅配送を選択できる。また、宛先人３は、自分を受取人に指定することによって、荷物を自分で受け取ることができる。
【０１２３】
図１４Ｂは、受取人端末４１に表示される受取情報登録画面の例を示す図である。
【０１２４】
受取人端末４１が受取人指定通知メールを受信すると（６１７）、受取人指定通知メールに含まれるリンクを選択することによって、受取情報登録画面を表示する。
【０１２５】
受取情報登録画面は、受取場所入力欄、受取予定日入力欄、受取時間帯入力欄、受取不可ボタン、及び確定ボタンを含む。
【０１２６】
受取人４は、受取情報登録画面において、荷物の受け取りを希望する場所、受け取りを希望する日、及び受け取りを希望する時間帯を入力し、確定ボタンを操作し、入力した情報を受取人端末４１からが受取管理システム１５０に送信する。
【０１２７】
なお、宛先人３が指定した受取期限までに、受取人４が当該荷物を受け取れない場合、受取不可ボタンの操作によって、当該受取人４による受け取りがキャンセルされる。このため、受取管理システム１５０の受取情報処理部１５１は、当該受取人の情報を受取管理データベース１６４から消去し、受取管理システム１５０の電子メール処理部１５２は、指定された受取人４が荷物を受け取れないことを宛先人端末３１に電子メールで通知し、さらに受取人４の登録を促す。
【０１２８】
以上に説明したように、本発明の実施例によると、受取管理システム１５０は、宛先人３へ配送される荷物の引き受けを宛先人端末３１へ通知し、宛先人端末３１は、入力された受取人４の情報を受取管理システム１５０へ送信し、受取管理システム１５０は、受取人４への荷物の配達の完了後に、受取人４への荷物配達完了の情報を記録し、受取人４から宛先人３へ荷物が引き渡された後に、受取人４に所定のポイントを付与するので、宛先人３が不在でも受取人４が代理で荷物を受け取ることができ、再配達を減少でき、物流コストを低減できる。また、受取人４は、ポイントの恩恵を受けることができる。
【０１２９】
また、受取管理システム１５０は、宛先人３が指定した受取人４の情報に基づいて特定された受取人端末４１に受取鍵を送信し、受取人端末４１は、受信した受取鍵を記憶装置に格納し、受取人端末４１から出力された受取鍵の照合後に、受取人４に荷物を引き渡し、受取管理システム１５０は、受取人４への荷物配達完了の情報を記録するので、宛先人３が指定した正しい受取人４に荷物を配達できる。
【０１３０】
また、受取管理システム１５０は、受取人４への荷物配達完了を宛先人端末３１へ通知するので、宛先人３にとって、受取人４から荷物の引き渡しを受けるトリガにできる。
【０１３１】
また、受取管理システム１５０は、宛先人端末３１から送信された評価を用いて当該受取人４の評価を更新し、宛先人端末３１は受取人４の評価を表示するので、宛先人３が受取人４を選択する指標を提示できる。
【０１３２】
また、受取管理システム１５０は、受取人４に付与されるポイントを決める際に参照され、少なくとも受取場所、配達回数及び受取人４に付与されるポイントの情報を含むポイント付与パターンテーブル１６５を格納し、ポイント付与パターンテーブル１６５では、受取場所がセンタである場合に高いポイントが付与され、初回配達で荷物を受け取った場合に高いポイントが付与されるように定義されているので、ポイントによって、再配達を減少するインセンティブを付与できる。
【０１３３】
また、受取管理システム１５０は、各会員が宛先人３となった場合の受取人４の候補が登録可能な会員データベース１６２を格納し、会員データベース１６２に受取人４の候補が登録されている場合、宛先人端末３１から受取人４の情報を収集することなく、登録されている受取人を当該荷物の受取人４とするので、宛先人３の手間を省き、受取人４による荷物の代理受け取りを実現できる。
【０１３４】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【０１３５】
また、前述した各構成、機能、処理部、処理手段等は、それらの一部又は全部を、例えば集積回路で設計する等により、ハードウェアで実現してもよく、プロセッサがそれぞれの機能を実現するプログラムを解釈し実行することにより、ソフトウェアで実現してもよい。
【０１３６】
各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記憶装置、又は、ＩＣカード、ＳＤカード、ＤＶＤ等の記録媒体に格納することができる。
【０１３７】
また、制御線や情報線は説明上必要と考えられるものを示しており、実装上必要な全ての制御線や情報線を示しているとは限らない。実際には、ほとんど全ての構成が相互に接続されていると考えてよい。
【符号の説明】
【０１３８】
１  配送センター
１００  配送センター装置
１１０  配送管理システム
１５０  受取管理システム
１３０  外部システム
３１  宛先人端末
４  受取人
４１  受取人端末
【図１】
2018101232.tif 000003
【図２Ａ】
2018101232.tif 000004
【図２Ｂ】
2018101232.tif 000005
【図３】
2018101232.tif 000006
【図４】
2018101232.tif 000007
【図５】
2018101232.tif 000008
【図６】
2018101232.tif 000009
【図７】
2018101232.tif 000010
【図８】
2018101232.tif 000011
【図９】
2018101232.tif 000012
【図１０】
2018101232.tif 000013
【図１１】
2018101232.tif 000014
【図１２】
2018101232.tif 000015
【図１３】
2018101232.tif 000016
【図１４Ａ】
2018101232.tif 000017
【図１４Ｂ】
2018101232.tif 000018